(57)【要約】      （修正有）【課題】簡単な構造によって、より加工コストを抑制することのできる傾斜面ネジ固定構造を提供すること。【解決手段】傾斜面ネジ固定構造１０は、被固定物２が固定対象物１の傾斜面１Ｓにタッピングネジ３により固定されている構造であって、固定対象物１の傾斜面１Ｓには被固定物２を固定するタッピングネジ３が挿入固定されているネジ固定用溝４が設けられており、ネジ固定用溝４は、少なくともタッピングネジ３の固定深さの範囲においてタッピングネジ３の脚部３Ｆの径未満の幅で形成されている構成とする。【選択図】図１
2016125604.tif 000002
【特許請求の範囲】
【請求項１】
被固定物が固定対象物の傾斜面にタッピングネジにより固定されている傾斜面ネジ固定構造であって、該固定対象物の傾斜面には該被固定物を固定するタッピングネジが挿入固定されているネジ固定用溝が設けられており、該ネジ固定用溝は、少なくとも該タッピングネジの固定深さの範囲において該タッピングネジの脚部の径未満の幅で形成されていることを特徴とする、傾斜面ネジ固定構造。
【請求項２】
前記タッピングネジは傾斜面に対し略垂直に固定されていることを特徴とする、請求項１に記載の傾斜面ネジ固定構造。
【請求項３】
前記ネジ固定用溝は、前記タッピングネジの頭部の径を超える長さで設けられていることを特徴とする、請求項１または２に記載の傾斜面ネジ固定構造。
【請求項４】
前記被固定物上の位置決め用穴、および前記固定対象物上の該位置決め用穴に対応するボスからなる位置決め手段が一組以上設けられていることを特徴とする、請求項１ないし３のいずれかに記載の傾斜面ネジ固定構造。
【請求項５】
前記ネジ固定用溝は鉛直方向に設けられていることを特徴とする、請求項１ないし４のいずれかに記載の傾斜面ネジ固定構造。
【請求項６】
請求項１ないし５のいずれかに記載の傾斜面ネジ固定構造を構成可能な、ネジ固定用溝付き固定対象物。
【請求項７】
一定仕様のタッピングネジを挿入固定可能なように形成されているネジ固定用溝が設けられていることを特徴とする、ネジ固定用溝付き固定対象物。
【請求項８】
前記ネジ固定用溝には前記タッピングネジを任意角度にて挿入固定可能であることを特徴とする、請求項７に記載のネジ固定用溝付き固定対象物。
【請求項９】
請求項１ないし５のいずれかに記載の傾斜面ネジ固定構造を備えている、傾斜面ネジ固定構造具備物。
【請求項１０】
一定仕様のタッピングネジを挿入固定可能なように形成されているネジ固定用溝を有する固定対象物の傾斜している取付面に、被固定物を合わせ、該被固定物上から該ネジ固定用溝へとネジ固定することを特徴とする、傾斜面ネジ固定方法。
【発明の詳細な説明】
【技術分野】
【０００１】
本発明は傾斜面ネジ固定構造、ネジ固定用溝付き固定対象物、傾斜面ネジ固定方法および傾斜面ネジ固定構造具備物に係り、特に、産業機器、医療機器あるいは遊技機器を初めとする各種の機器、装置または道具等において、被固定物を傾斜した状態で固定対象物に取り付ける際の、傾斜面ネジ固定構造等に関するものである。
【背景技術】
【０００２】
従来、部品等の被固定物を本体等の固定対象物に、ネジを用いて任意の角度で、つまり、傾斜をもって固定する際には、固定対象物と被固定物との間にスペーサーを用いたり、固定対象物にインサートや下穴等の加工を任意の角度で施すことによって行うのが一般的である。
【０００３】
図６は、従来の固定方法のうちスペーサーを用いた方法を示す一部透視の側面図である。本方法では、取付面が斜めにカットされた立設部材を有する固定対象物６１に平板状の取付け面を有する被固定物６２をネジ固定する際、立設部材に対してその軸方向にネジ固定できるよう、立設部材の軸方向に直交するネジ止め面を有するスペーサー６９を被固定物６２上に取付けて、ネジ６３によって固定する。このようにすれば、ネジ固定の際に固定対象物６１の立設部材の側面を貫通してネジ６３が飛び出すということがなく、被固定物６２を傾斜した状態で固定対象物６１に取り付けることができる。なおスペーサー６９下面の傾斜角度は、固定対象物６１の傾斜角度に合せて形成すればよい。
【０００４】
図７は、従来の固定方法のうち固定対象物に下穴加工を施す方法を示す一部透視の側面図である。また、図８はの図７の一部透視の要部斜視図である。ここに示す方法では、傾斜している取付け面を有する固定対象物７１に平板状の取付け面を有する被固定物７２をネジ固定するために、固定対象物７１に取付け面の傾斜角度と直交する方向の下穴７８を設け、それを用いてネジ７３により被固定物７２を固定する。このようにすれば、図６で示したようなスペーサーを準備する必要がない。なお、下穴７８に替えて、雌ネジインサートの挿入加工を施す方式にしてもよい。
【０００５】
ところで、被固定物を固定対象物に取り付ける方法については従来、技術的提案も種々なされている。たとえば後掲特許文献１には、光学ピックアップに対して外部の駆動制御回路を含む回路基板を接続するための中継フレキシブル基板を光学ピックアップのスライドベースに取り付ける取付構造として、スライドベースに対向する領域に設けられた補強板が互いに対向する一対の係合部を備えており、またスライドベース自身も補強板の係合部に係合し得る一対の係合部を備えており、互いに係合する補強板とスライドベースの係合部のうち少なくとも一方の組の係合部が弾性的に係合する構成が開示されている。これにより、固定用部品が不要で、しかも取り付けが容易になる、としている。
【先行技術文献】
【特許文献】
【０００６】
【特許文献１】特開平８−１２４２００号公報「光学ピックアップの中継基板取付構造」（特許第３６２７７５９号）
【発明の概要】
【発明が解決しようとする課題】
【０００７】
さて、部品等の被固定物を本体等の固定対象物にネジを用いて任意の角度で（傾斜をもって）固定する方法として、二つの例を示した。しかし、このうち図６に示したスペーサーを挟む方法では、ネジ固定の際にスペーサーの厚み分の無用なスペースが必要となってしまう。また、適するスペーサーを準備する必要があるため、高コストともなる。
【０００８】
一方、図７等に示した、固定対象物に任意の角度での下穴加工や成形、雌ネジインサートの挿入加工を施す方法では、通常のネジ固定用の加工（水平や垂直の加工）と比較して高コストになることを避けられない。つまり、従来だとアンギュラーピンを用いたスライドコア形状で下穴（丸穴）を成形したり、成形後に雌ネジインサートを挿入する必要がある。
【０００９】
そこで本発明が解決しようとする課題は、かかる従来技術の問題点をなくし、簡単な構造によって、より加工コストを抑制することのできる、傾斜面ネジ固定構造を提供することである。
【課題を解決するための手段】
【００１０】
本願発明者は上記課題について検討した結果、タッピングネジを用い、下穴加工を比較的単純な形状とすることで加工コストを抑制、軽減できることを見出し、これに基づいて本発明を完成するに至った。すなわち、上記課題を解決するための手段として本願で特許請求される発明、もしくは少なくとも開示される発明は、以下の通りである。
【００１１】
〔１〕  被固定物が固定対象物の傾斜面にタッピングネジにより固定されている傾斜面ネジ固定構造であって、該固定対象物の傾斜面には該被固定物を固定するタッピングネジが挿入固定されているネジ固定用溝が設けられており、該ネジ固定用溝は、少なくとも該タッピングネジの固定深さの範囲において該タッピングネジの脚部の径未満の幅で形成されていることを特徴とする、傾斜面ネジ固定構造。
〔２〕  前記タッピングネジは傾斜面に対し略垂直に固定されていることを特徴とする、〔１〕に記載の傾斜面ネジ固定構造。
〔３〕  前記ネジ固定用溝は、前記タッピングネジの頭部の径を超える長さで設けられていることを特徴とする、〔１〕または〔２〕に記載の傾斜面ネジ固定構造。
【００１２】
〔４〕  前記被固定物上の位置決め用穴、および前記固定対象物上の該位置決め用穴に対応するボスからなる位置決め手段が一組以上設けられていることを特徴とする、〔１〕ないし〔３〕のいずれかに記載の傾斜面ネジ固定構造。
〔５〕  前記ネジ固定用溝は鉛直方向に設けられていることを特徴とする、〔１〕ないし〔４〕のいずれかに記載の傾斜面ネジ固定構造。
〔６〕  〔１〕ないし〔５〕のいずれかに記載の傾斜面ネジ固定構造を構成可能な、ネジ固定用溝付き固定対象物。
〔７〕  一定仕様のタッピングネジを挿入固定可能なように形成されているネジ固定用溝が設けられていることを特徴とする、ネジ固定用溝付き固定対象物。
【００１３】
〔８〕  前記ネジ固定用溝には前記タッピングネジを任意角度にて挿入固定可能であることを特徴とする、〔７〕に記載のネジ固定用溝付き固定対象物。
〔９〕  〔１〕ないし〔５〕のいずれかに記載の傾斜面ネジ固定構造を備えている、傾斜面ネジ固定構造具備物。
〔１０〕  一定仕様のタッピングネジを挿入固定可能なように形成されているネジ固定用溝を有する固定対象物の傾斜している取付面に、被固定物を合わせ、該被固定物上から該ネジ固定用溝へとネジ固定することを特徴とする、傾斜面ネジ固定方法。
【発明の効果】
【００１４】
本発明の傾斜面ネジ固定構造、ネジ固定用溝付き固定対象物、傾斜面ネジ固定方法および傾斜面ネジ固定構造具備物は上述のように構成されるため、これによれば、比較的単純な形状の下穴加工で得られる簡単な構造によって、従来の方式よりも加工コストを抑制、軽減することができる。
【００１５】
また、後述する実施例に係る産業分野、すなわち産業機器、医療機器あるいは遊技機器製造分野等の場合、固定対象物はモールド金型等で製造され得るが、従来技術ではアンギュラーピンを用いたスライドコア形状で下穴（丸穴）を成形したり、成形後に雌ネジインサートを挿入する必要があった。しかし本発明では、所定構造のネジ固定用溝とすることで、加工コストが従来技術よりも相当程度安価となり、しかも、被固定物取付け時の角度（傾斜の変更も容易になる。
【００１６】
また、本発明に係るネジ固定用溝は、取付面の傾斜（角度）如何に関わらず鉛直方向に設けるものとすることができるため、モールド金型で成形する場合にスライドコア等は不要であり、通常の型開き加工によって成形することができる。なお、実施例に係る機器製造分野に限定されず、その他の各種機器、装置または道具、あるいは建築構造物など、適用可能なあらゆる分野において本発明を用い、その効果を得ることができる。
【図面の簡単な説明】
【００１７】
【図１】本発明傾斜面ネジ固定構造の実施例を示す要部透視の側面図である。
【図２】実施例の内部構造を示す一部透視の斜視図である。
【図３】実施例に係るネジ固定用溝を幅方向で切断した際の斜視説明図である。
【図４】図３においてネジが固定された場合を示す断面方向からの説明図である。
【図５】実施例の外観を示す一部透視の斜視図である。
【図６】従来の固定方法のうちスペーサーを用いた方法を示す一部透視の側面図である
【図７】従来の固定方法のうち固定対象物に下穴加工を施す方法を示す一部透視の側面図である。
【図８】図７の一部透視の要部斜視図である。
【発明を実施するための形態】
【００１８】
以下、図面により本発明を詳細に説明する。
図１は、本発明傾斜面ネジ固定構造の実施例を示す要部透視の側面図である。また、図２は実施例の内部構造を示す一部透視の斜視図、図３は実施例に係るネジ固定用溝を幅方向で切断した際の斜視説明図、図４は図３においてネジが固定された場合を示す断面方向からの説明図、そして、図５は実施例の外観を示す一部透視の斜視図である。これらに示すように本発明の傾斜面ネジ固定構造１０は、被固定物２が固定対象物１の傾斜面１Ｓにタッピングネジ３により固定されている構造であって、固定対象物１の傾斜面１Ｓには被固定物２を固定するタッピングネジ３が挿入固定されているネジ固定用溝４が設けられており、ネジ固定用溝４は、少なくともタッピングネジ３の固定深さ４Ｄの範囲においてタッピングネジ３の脚部３Ｆの径未満の幅４Ｗで形成されていることを、主たる構成とする。
【００１９】
つまり本発明の傾斜面ネジ固定構造１０は、固定対象物１の傾斜面１Ｓに置かれた被固定物２が固定対象物１に対してタッピングネジ３によってネジ固定される際、固定対象物１の傾斜面１Ｓに設けられたネジ固定用溝４が少なくともタッピングネジ３の固定深さ４Ｄの範囲においてタッピングネジ３の脚部３Ｆの径未満の幅４Ｗで形成されているため、タッピングネジ３がそのねじ込みによってネジ固定用溝４に確実かつ強固に固定され、その結果、被固定物２が固定対象物１の傾斜面１Ｓにタッピングネジ３により固定されることによって形成されたものである。
【００２０】
従来技術における下穴加工や雌ネジインサートは、ネジの径に合わせて遊びなく確実に固定されるサイズの略円柱状に形成される。したがって、ネジ固定方向は一方向のみであり、固定対象物に被固定物を固定する際の傾斜に合せた特定の加工を、固定対象物と被固定物の組み合わせケースごとに行わなくてはならない。
【００２１】
しかし本発明では、ネジ固定用溝４は、固定の担保のためその幅こそタッピングネジ３の脚部３Ｆの径未満の幅４Ｗで形成されるが、長さ４Ｌ方向にはタッピングネジ３の頭部３Ｈの径を超える長さにて形成されているため、ネジ固定方向は一方向に限らず、ネジ固定用溝４の長さに応じて、任意の方向とすることができる。すなわち、任意の角度（傾斜）θにてネジ固定を行うことができる。したがって、固定対象物に被固定物を固定する際の傾斜に合せた特定の加工を、固定対象物と被固定物の組み合わせケースごとに行う必要がなく、ネジ固定用溝４の仕様を、共通化することができる。つまり、下穴等ではなく溝形状とすることによって、加工コストが従来技術よりも安価となり、またネジ固定の際の角度の変更も容易になる。
【００２２】
なお、ネジ固定に用いるタッピングネジの仕様・サイズと、これに対応するネジ固定用溝の仕様・サイズは、固定対象物と被固定物の組み合わせにおいて要求される、あるいは適する仕様・サイズに適宜設計可能であることは、いうまでもない。
【００２３】
本発明の傾斜面ネジ固定構造１０では、タッピングネジ３は傾斜面１Ｓに対し略垂直に固定されたものとすることができる。これは上述のとおり、ネジ固定用溝４が、ネジ固定方向の角度（傾斜）を任意に設定できるよう形成されているためである。タッピングネジ３を傾斜面１Ｓに対し略垂直に固定できるｋとにより、ネジ固定の仕上がり外観が好ましくなるだけでなく、余計な出っ張り等の発生を防ぐことができ、またネジの抜けをより防止することができ、好ましい。
【００２４】
本発明の傾斜面ネジ固定構造１０では、ネジ固定用溝４は鉛直方向に設けられたものとすることができる。つまり、そのような加工のなされた固定対象物とすることができる。また、基板等の被固定物２を、たとえば成形樹脂製の固定対象物１にネジ固定するように設計されている場合、タッピングネジ３用のネジ固定用溝４を形成し、その後にネジ固定用溝４の天面を、しかるべき任意の角度で傾斜がつくように形成することで、本発明に係る固定対象物を構成することができる。
【００２５】
図５に示すように本発明の傾斜面ネジ固定構造１０は、被固定物２上の位置決め用穴５、および固定対象物１上の、位置決め用穴５に対応するボス６からなる位置決め手段が一組以上設けられている構成とすることができる。つまり、かかる構成により、傾斜方向に位置ズレが生じることなく、ネジ固定を行うことができる。
【００２６】
なお、以上説明した傾斜面ネジ固定構造を構成可能なネジ固定用溝付き固定対象物もまた、本発明の範囲内である。また、一定仕様のタッピングネジを挿入固定可能なように形成されているネジ固定用溝が設けられているネジ固定用溝付き固定対象物もまた、本発明の範囲内である。かかるネジ固定用溝付き固定対象物を、ネジ固定用溝にタッピングネジを任意角度にて挿入固定可能な構成とすることができることは、いうまでもない。
【００２７】
さらに、以上説明した本発明傾斜面ネジ固定構造を備えている傾斜面ネジ固定構造具備物自体もまた、本発明の範囲内である。また、一定仕様のタッピングネジを挿入固定可能なように形成されているネジ固定用溝を有する固定対象物の傾斜している取付面に、被固定物を合わせ、被固定物上からネジ固定用溝へとネジ固定して行う傾斜面ネジ固定方法も、本発明の範囲内である。
【産業上の利用可能性】
【００２８】
本発明の傾斜面ネジ固定構造、ネジ固定用溝付き固定対象物、傾斜面ネジ固定方法および傾斜面ネジ固定構造具備物によれば、比較的単純な形状の下穴加工で得られる簡単な構造によって、従来の方式よりも加工コストを抑制、軽減することができる。したがって、産業機器、医療機器、遊技機器を初めとして、広範な産業分野および関連する全分野において、産業上利用性が高い発明である。
【符号の説明】
【００２９】
１Ｓ…固定対象物の傾斜面
２…被固定物
３…タッピングネジ
３Ｆ…タッピングネジの脚部
３Ｈ…タッピングネジ３の頭部
４…ネジ固定用溝
４Ｄ…固定深さ
４Ｌ…ネジ固定用溝長さ
４Ｗ…ネジ固定用溝幅
５…位置決め用穴
６…ボス
１０…傾斜面ネジ固定構造
θ…角度（傾斜）
【００３０】
６１…固定対象物
６２…被固定物
６３…ネジ
６９…スペーサー
７１…固定対象物
７２…被固定物
７３…ネジ
７８…下穴
【図１】
2016125604.tif 000003
【図２】
2016125604.tif 000004
【図３】
2016125604.tif 000005
【図４】
2016125604.tif 000006
【図５】
2016125604.tif 000007
【図６】
2016125604.tif 000008
【図７】
2016125604.tif 000009
【図８】
2016125604.tif 000010